(57)【要約】【課題】  印刷機が非使用状態で長期間放置されても洗浄等の作業を行う必要がなく、長期間放置後も放置前と同等の印刷性能が得られ、かつ、乾燥性と画像性に優れた印刷物が得られる孔版印刷方法を提供する。【解決手段】  回転自在で、かつ、表面に孔版原紙が装着される外周壁を有し、この外周壁がインキを通過しないベース壁と該ベース壁の少なくとも最大印刷エリアの表面に配置された多孔質シート部材とを有し、この多孔質部材と前記ベース壁の間に少なくとも最大印刷エリアの全域に亘ってインキ通過路が設けられたドラムと、前記インキ通過路にインキを供給するインキ供給手段と、前記インキ通過路内のインキを回収するインキ回収手段と、給紙された印刷媒体を前記外周壁に押圧するプレスロールとを備えた孔版印刷装置を用い、孔版原紙をドラムに装着する工程と、前記孔版原紙を製版する工程と、前記孔版原紙の穿孔部から水性インキを通過させて印刷媒体に前記水性インキを転写させる工程と、を含む。【選択図】      図１
2005271270.tif 000002
【特許請求の範囲】
【請求項１】
回転自在で、かつ、表面に孔版原紙が装着される外周壁を有し、この外周壁がインキを通過しないベース壁と該ベース壁の少なくとも最大印刷エリアの表面に配置された多孔質シート部材とを有し、この多孔質部材と前記ベース壁の間に少なくとも最大印刷エリアの全域に亘ってインキ通過路が設けられたドラムと、前記インキ通過路にインキを供給するインキ供給手段と、前記インキ通過路内のインキを回収するインキ回収手段と、給紙された印刷媒体を前記外周壁に押圧するプレスロールとを備えた孔版印刷装置を用い、
孔版原紙をドラムに装着する工程と、
前記孔版原紙を製版する工程と、
前記孔版原紙の穿孔部から水性インキを通過させて印刷媒体に前記水性インキを転写させる工程と、
を含む孔版印刷方法。
【請求項２】
前記水性インキとして、２３℃において１Ｐａ／ｓの速度で剪断応力を０Ｐａから増加させたときの１０Ｐａにおけるインキ粘度が５００ｍＰａ・ｓ以下の水性インキを用いる請求項１記載の孔版印刷方法。
【請求項３】
前記水性インキとして、２３℃においてインキから直径１５ｍｍのクロム鋼球を１５０ｍｍ／ｓで引き上げたときのインキ曳糸長が３０ｍｍ以上の水性インキを用いる請求項１または２記載の孔版印刷方法。
【請求項４】
前記水性インキとして、直鎖構造型不飽和カルボン酸系水溶性高分子を含有する水性インキを用いる請求項１〜３のいずれか１項記載の孔版印刷方法。
【請求項５】
回転自在で、かつ、表面に孔版原紙が装着される外周壁を有し、この外周壁がインキを通過しないベース壁と該ベース壁の少なくとも最大印刷エリアの表面に配置された多孔質シート部材とを有し、この多孔質部材と前記ベース壁の間に少なくとも最大印刷エリアの全域に亘ってインキ通過路が設けられたドラムと、前記インキ通過路にインキを供給するインキ供給手段と、前記インキ通過路内のインキを回収するインキ回収手段と、給紙された印刷媒体を前記外周壁に押圧するプレスロールとを備えた孔版印刷装置に用いられる孔版印刷用水性インキ。
【請求項６】
２３℃において１Ｐａ／ｓの速度で剪断応力を０Ｐａから増加させたときの１０Ｐａにおけるインキ粘度が５００ｍＰａ・ｓ以下である請求項５記載の孔版印刷用水性インキ。
【請求項７】
２３℃においてインキから直径１５ｍｍのクロム鋼球を１５０ｍｍ／ｓで引き上げたときのインキ曳糸長が３０ｍｍ以上である請求項５または６記載の孔版印刷用水性インキ。
【請求項８】
直鎖構造型不飽和カルボン酸系水溶性高分子を含む請求項５〜７のいずれか１項記載の孔版印刷用水性インキ。
【発明の詳細な説明】
【技術分野】
【０００１】
本発明は、孔版原紙（マスター）が装着されたドラムに印刷媒体を押圧しつつ搬送して、孔版原紙の穿孔より滲み出るインキを印刷媒体に転写する孔版印刷装置を用いた孔版印刷方法、および、この孔版印刷装置に用いられる孔版印刷用水性インキに関する。
【背景技術】
【０００２】
孔版印刷方式は、オフセット印刷、グラビア印刷、凸版印刷のような印刷方式に比べて、使用後に洗浄等の煩雑な作業を行う必要がない、専門のオペレーターを必要としない等の操作性の良さ、簡便性を備えている。サーマルヘッドをデバイスとして用いる感熱製版方式を用いて以来、孔版印刷方式において画像処理のデジタル化が図られるようになり、高品位の印刷物を短時間で簡便に得られるようになったため、情報処理端末としてもますますその利便性が認められている。
【０００３】
従来の孔版印刷装置の印刷方式としては、インナープレス方式（特許文献１）とアウタープレス方式（特許文献２）とがある。
孔版印刷用インキとしては、従来から一般に油中水（Ｗ／Ｏ）型エマルションインキが使用されている。Ｗ／Ｏ型エマルションインキは、印刷機を非使用状態に放置したときに、印刷機内部のインキが大気と接触していても、インキの成分構成や物性の変化を抑制する機能を有している。そのため、Ｗ／Ｏ型エマルションインキは、保存安定性に優れるという利点を有する一方で、紙等の印刷媒体（被印刷体）に印刷した後の乾燥性が低いという問題があった。
【０００４】
そこで、印刷物の乾燥性を高めるために、紫外線照射により定着乾燥する孔版印刷用紫外線硬化型インキ（特許文献３）や、印刷直後の印刷面に塩基を加えて水性インキの紙への浸透性を高める孔版印刷方法が開発されている（特許文献４）。
【特許文献１】特開平７−１３２６７５号公報
【特許文献２】特開２００１−２４６８２８号公報
【特許文献３】特開２００２−３０２３８号公報
【特許文献４】特開２００１−３０２９５５号公報
【発明の開示】
【発明が解決しようとする課題】
【０００５】
しかし、化学反応による定着乾燥方式を利用した場合、硬化エネルギーの照射装置や反応液の塗布装置、そのためのエネルギー等が必要とされ、また高価な原材料をインキ中に含有させる必要もあった。一方、水性インキの場合は、印刷機が非使用状態におかれて印刷機内のインキが開放系に長期間放置された状態になると、インキ中の水分が容易に蒸発して、インキの流動性が失われ、またインキの成分構成や物性が変化してしまう、という問題があった。そのため、印刷機が非使用状態で長期間放置された後の印刷動作性が低下して、印刷直後もしくは印刷再開直前に印刷機を分解して洗浄しなくては、再び印刷動作を行うことができなくなるとともに、変質したインキでは高品質な画像が得られないという点で改良が求められていた。
【０００６】
そこで、本発明は、印刷機が非使用状態で長期間放置されても洗浄等の作業を行う必要がなく、長期間放置後も放置前と同等の印刷性能が得られ、かつ、熱、光、反応性物質の付与等の特殊な手段、装置、エネルギー等を使用しなくても乾燥性に優れるとともに画像性にも優れた印刷物が得られる孔版印刷方法、ならびに、孔版印刷用水性インキを提供することを目的とする。
【課題を解決するための手段】
【０００７】
本発明は、回転自在で、かつ、表面に孔版原紙が装着される外周壁を有し、この外周壁がインキを通過しないベース壁と該ベース壁の少なくとも最大印刷エリアの表面に配置された多孔質シート部材とを有し、この多孔質部材と前記ベース壁の間に少なくとも最大印刷エリアの全域に亘ってインキ通過路が設けられたドラムと、前記インキ通過路にインキを供給するインキ供給手段と、前記インキ通過路内のインキを回収するインキ回収手段と、給紙された印刷媒体を前記外周壁に押圧するプレスロールとを備えた孔版印刷装置を用い、孔版原紙をドラムに装着する工程と；前記孔版原紙を製版する工程と；前記孔版原紙の穿孔部から水性インキを通過させて印刷媒体に前記水性インキを転写する工程と；を含む孔版印刷方法に関する。
【０００８】
別の本発明は、回転自在で、かつ、表面に孔版原紙が装着される外周壁を有し、この外周壁がインキを通過しないベース壁と該ベース壁の少なくとも最大印刷エリアの表面に配置された多孔質シート部材とを有し、この多孔質部材と前記ベース壁の間に少なくとも最大印刷エリアの全域に亘ってインキ通過路が設けられたドラムと、前記インキ通過路にインキを供給するインキ供給手段と、前記インキ通過路内のインキを回収するインキ回収手段と、給紙された印刷媒体を前記外周壁に押圧するプレスロールとを備えた孔版印刷装置に用いられる孔版印刷用水性インキに関する。
【発明の効果】
【０００９】
本発明に係る孔版印刷方法において用いられる孔版印刷装置では、ドラムの外周壁が回転され、かつ、インキ供給手段及びインキ回収手段の駆動によって外周壁のインキ通過路内にインキを流通させた状態にあって印刷媒体が給紙されると、この印刷媒体がプレスロールの押圧力によって孔版原紙及びドラムの外周壁に押圧されつつ搬送されると共に、プレスロールの押圧力によってインキ通過路内のインキが多孔質シート部材の孔より表面に流出し、この表面に流出したインキが孔版原紙の穿孔よりにじみ出て印刷媒体側に転写され、印刷媒体にインキ画像が印刷されるため、ドラムに供給されたインキをインキ回収手段で回収することができ、また、インキを回収しなくてもベース壁と孔版原紙の間の略密閉空間に保持することができ、いずれにしても大気との接触が最低限に抑えられる。
したがって、この孔版印刷装置と水性インキを用いる本発明の孔版印刷方法によれば、印刷を長時間行わなくてもインキが変質することがなく、かつ、インキ中の水分が蒸発することもなく、その結果、乾燥性に優れ、印刷直後に取り扱っても画像が擦れることのない高品質な印刷物を提供することができる。また、印刷機を非使用状態で長期間放置した後も、洗浄等の作業を必要とせずに印刷を再開することができ、非使用後の印刷初期の印刷物から、放置前の印刷物と同等の印刷性能を得ることができる。
【発明を実施するための最良の形態】
【００１０】
まず、本発明において使用される孔版印刷装置について、図面を参照しつつ説明する。図１〜図５は第１実施形態を示し、図１は孔版印刷装置の概略構成図、図２はドラムの斜視図、図３は多孔質シート部材を取り外したドラムの斜視図、図４は図２中Ａ−Ａ線に沿う断面図、図５は図２中Ｂ−Ｂ線に沿う断面図である。
図１に示すように、孔版印刷装置は、原稿読み取り部１と、製版部２と、印刷部３と、給紙部４と、排紙部５及び排版部６とから主に構成されている。
【００１１】
原稿読み取り部１は、印刷すべき原稿が載置される原稿セット台１０と、原稿セット台１０上の原稿の有無を検出する反射型の原稿センサ１１，１２と、原稿セット台１０の原稿を搬送する原稿搬送ロール１３，１４と、原稿搬送ロール１３，１４を回転駆動させるステッピングモータ１５と、原稿搬送ロール１３，１４によって搬送される原稿の画像データを光学的に読み取り、これを電気信号に変換する密着型のイメージセンサ１６と、原稿セット台１０より排出される原稿を載置する原稿排出トレー１７とを有する。そして、原稿セット台１０に載置された原稿が原稿搬送ロール１３，１４によって搬送され、この搬送される原稿の画像データをイメージセンサ１６が読み取る。
【００１２】
製版部２は、ロールされた長尺状の孔版原紙１８を収容する原紙収容部１９と、この原紙収容部１９の搬送下流に配置されたサーマルヘッド２０と、このサーマルヘッド２０の対向位置に配置されたプラテンロール２１と、このプラテンロール２１及びサーマルヘッド２０の搬送下流に配置された一対の原紙送りロール２２，２２と、プラテンロール２１及び原紙送りロール２２を回転駆動させるライトパルスモータ２３と、一対の原紙送りロール２２，２２の搬送下流に配置された原紙カッタ２４とを有する。
【００１３】
そして、プラテンロール２１と原紙送りロール２２の回転により長尺状の孔版原紙１８を搬送し、イメージセンサ１６で読み取った画像データに基づきサーマルヘッド２０の各点状発熱体が選択的に発熱動作することにより孔版原紙１８に感熱穿孔して製版し、この製版された孔版原紙１８を原紙カッタ２４で切断して所定長さの孔版原紙１８を作製するようになっている。
【００１４】
印刷部３は、メインモータ２５の駆動力によって図１の矢印Ａ方向に回転するドラム２６と、このドラム２６の外周面に設けられ、孔版原紙１８の先端をクランプする原紙クランプ部２７と、ドラム２６の外周面に孔版原紙１８が巻き付け装着されているか否かを検出する原紙確認センサ２８と、ドラム２６の基準位置を検出する基準位置検出センサ３０と、メインモータ２５の回転を検出するロータリエンコーダ３１とを有する。基準位置検出センサ３０の検出出力を基にロータリエンコーダ３１の出力パルスを検出することによってドラム２６の回転位置を検出することができるようになっている。
【００１５】
また、印刷部３は、ドラム２６の下方位置に配置されたプレスロール３５を有し、このプレスロール３５はソレノイド装置３６の駆動力によってドラム２６の外周面に押圧する押圧位置と、ドラム２６の外周面から離間する待機位置との間で変移可能に構成されている。プレスロール３５は、印刷モードの期間（試し刷りを含む）にあっては押圧位置に常時位置され、印刷モード以外の期間にあっては待機位置に位置されるようになっている。
【００１６】
そして、製版部２から搬送される孔版原紙１８の先端を原紙クランプ部２７でクランプし、このクランプした状態でドラム２６が回転されて孔版原紙１８がドラム２６の外周面に巻き付け装着され、ドラム２６の回転に同期して給紙部４より給紙される印刷用紙（印刷媒体）３７をプレスロール３５でドラム２６に巻装された孔版原紙１８に押圧することによって印刷用紙３７に孔版原紙１８の穿孔からインキが転写されて画像が印刷されるようになっている。
【００１７】
給紙部４は、印刷用紙３７が積層される給紙台３８と、この給紙台３８から最上位置の印刷用紙３７のみを搬送させる１次給紙ロール３９，４０と、この１次給紙ロール３９，４０によって搬送された印刷用紙３７をドラム２６の回転に同期してドラム２６とプレスロール３５間に搬送する一対の２次給紙ロール４１，４１と、この一対の２次給紙ロール４１，４１間に印刷用紙３７が搬送されたか否かを検出する給紙センサ４２とを有する。１次給紙ロール３９，４０には給紙クラッチ４３を介してメインモータ２５の回転が選択的に伝達されるように構成されている。
【００１８】
排紙部５は、印刷処理された印刷用紙３７をドラム２６から分離する用紙分離爪４４と、この用紙分離爪４４によりドラム２６から離間された印刷用紙３７が搬送される搬送通路４５と、この搬送通路４５より排紙される印刷用紙３７が載置される排紙台４６とを有する。
排版部６は、ドラム２６の外周面よりクランプ解除された孔版原紙１８の先端を導き、この導いた使用済みの孔版原紙１８をドラム２６より引き剥がしながら搬送する排版搬送手段４７と、この排版搬送手段４７により搬送されて来る孔版原紙１８を収納する排版ボックス４８と、排版搬送手段４７により排版ボックス４８内に搬送されて来た孔版原紙１８を排版ボックス４８の奥に押し込む排版圧縮部材４９とを有する。
【００１９】
図２〜図５に示すように、ドラム２６は、装置本体Ｈに固定された支軸５０と、この支軸５０に各軸受５１を介して回転自在に支持された一対の側円板５２，５２と、この一対の側円板５２，５２間に固定された円筒状の外周壁５３とを備えている。この外周壁５３は一対の側円板５２，５２と一体となってメインモータ２５の回転力により回転駆動されるようになっている。また、外周壁５３は、図１等の矢印Ａ方向に回転され、原紙クランプ部２７より少し回転した位置が印刷開始ポイントとされている。この印刷開始ポイントより下方のエリアが印刷エリアとされ、この第１実施形態では最大印刷エリアはＡ３サイズの印刷が可能な領域に設定されている。
【００２０】
さらに、外周壁５３は、高い剛性で、かつ、インキを通過させないベース壁５４と、このベース壁５４の少なくとも最大印刷エリアの表面に配置された多孔質シート部材５５とを有している。この多孔質シート部材５５とベース壁５４との間には、少なくとも最大印刷エリアの全域に亘ってインキ通過路５６が形成されている。このインキ通過路５６は、ベース壁５４の少なくとも最大印刷エリアの全域に亘って形成され、全周縁に支持縁部５７を有する凹部５８と、この凹部５８の上方を覆うように配置され、支持縁部５７に支持された多孔質シート部材５５とによって形成されている。ベース壁５４の凹部５８内には、多数の線状リブ５９が所定の間隔を置いて印刷方向（ドラム回転方向）に立設されており、この多数の線状リブ５９によって多孔質シート部材５５が支持されている。この多孔質シート部材５５は、合成樹脂、金属又はセラミックを材料とした多孔質焼結体にて形成されており、表面側より印刷圧を受けると内面側のインキが内部の多数の細孔を介して表面側に滲み出るようになっている。なお、多孔質シート部材５５は、連続発泡体等にて形成しても良い。
【００２１】
前記原紙クランプ部２７は、ベース壁５４の表面で、かつ、支軸５０の軸方向に沿って形成されたクランプ用凹部５４ａを利用して設けられている。原紙クランプ部２７はその一端側がベース壁５４に回転自在に支持され、図５にて仮想線で示すクランプ解除状態ではベース壁５４より突出するが、図５にて実線で示すクランプ状態ではベース壁５４より突出しないように設けられている。したがって、原紙クランプ部２７は、外周壁５３上に突出することなく孔版原紙１８をクランプすることができるようになっている。
【００２２】
インキ供給手段６０は、図２〜図５に示すように、図示しないインキが溜められたインキ容器６１と、このインキ容器６１内のインキを吸引する供給側ポンプ６２と、この供給側ポンプ６２によって吸引されたインキを供給する第１パイプ６３と、この第１パイプ６３の他端が接続され、内部にインキ通路６４が形成され、かつ、１８０度対向位置に孔６５が形成された支軸５０と、この支軸５０の外周側に回転自在に支持され、孔６５に連通可能な連通孔６６が形成されたロータリジョイント６７と、このロータリジョイント６７に一端が接続され、他端がベース壁５４に導かれた第２パイプ６８と、この第２パイプ６８の他端側が接続され、外周壁５３のインキ通過路５６の最上流側で、かつ、その中央位置に開口するインキ供給口６９とから構成されている。インキ供給手段６０は、インキ通過路５６の最大印刷エリアの最上流側よりインキを供給するようになっている。
【００２３】
インキ回収手段７０は、外周壁５３のインキ通過路５６の最下流側で、その中央位置に開口するインキ回収口７１と、このインキ回収口７１に一端側が接続された第３パイプ７２と、この第３パイプ７２の他端側が接続され、連通孔７３が形成された前記ロータリジョイント６７と、このロータリジョイント６７が回転自在に支持され、連通孔７３が接続可能な孔７４及び内部にインキ通路７５が形成された前記支軸５０と、この支軸５０に一端が接続された第４パイプ７６と、この第４パイプ７６内のインキを吸引し、インキをインキ容器６１内に回収する回収側ポンプ７７とから構成されている。ロータリジョイント６７は、インキ供給手段６０とインキ回収手段７０で兼用されている。支軸５０は、インキ供給手段６０のインキ通路６４にも使用するため、２重パイプの構造になっている。インキ回収手段７０は、インキ通過路５６の最大印刷エリアの最下流側よりインキを回収するようになっている。
【００２４】
次に、上記孔版印刷装置の動作を簡単に説明する。
製版モードが選択されると、製版部２では、プラテンロール２１と原紙送りロール２２の回転により孔版原紙１８を搬送し、原稿読み取り部１で読取った画像データに基づきサーマルヘッド２０の多数の発熱体が選択的に発熱動作することにより孔版原紙１８に感熱穿孔して製版し、この製版した孔版原紙１８の所定箇所を原紙カッタ２４で切断して所望寸法の孔版原紙１８を作る。
印刷部３では、製版部２で製版された孔版原紙１８の先端をドラム２６の原紙クランプ部２７でクランプし、このクランプした状態でドラム２６が回転されて孔版原紙１８をドラム２６の外周面に巻き付け着版する。
【００２５】
次に、印刷モードが選択されると、印刷部３では、ドラム２６が回転駆動されると共に、インキ供給手段６０及びインキ回収手段７０の駆動が開始される。すると、インキがインキ供給口６９より外周壁５３のインキ通過路５６に供給され、この供給されたインキがインキ通過路５６の最上流側より最下流側に流れてインキ回収口７１より回収され、多孔質シート部材５５の下面でインキ循環がなされると共に、プレスロール３５が待機位置から押圧位置に変位される。
【００２６】
このドラム２６の回転に同期して給紙部４では印刷用紙３７をドラム２６とプレスロール３５との間に給紙する。給紙された印刷用紙３７は、プレスロール３５によってドラム２６の外周壁５３に押圧されると共に、ドラム２６の外周壁５３の回転によって搬送される。つまり、印刷用紙３７は孔版原紙１８に密着されつつ搬送される。
【００２７】
また、この印刷用紙３７の搬送と並行して、プレスロール３５の押圧力によってインキ通過路５６内のインキが多孔質シート部材５５の多数の細孔より表面に流出し、この表面に流出したインキが孔版原紙１８の穿孔よりにじみ出て印刷用紙３７側に転写される。以上により、印刷用紙３７にはドラム２６の外周壁５３とプレスロール３５の間を通過する過程でインキ画像が印刷される。ドラム２６の外周壁５３とプレスロール３５の間を抜けた印刷用紙３７は、その先端側が分離爪４４でドラム２６より剥ぎ取られ、ドラム２６より離間された印刷用紙３７は搬送通路４５を介して排紙台４６に排紙され、ここに積載される。
【００２８】
設定印刷枚数の印刷が完了すると、ドラム２６の外周壁５３の回転が停止されると共にインキ供給手段６０の駆動が停止され、インキ通過路５６へのインキの供給が停止される。インキ供給手段６０の駆動停止より一定時間経過後にインキ回収手段７０の駆動が停止され、インキ通過路５６内のインキが全て回収される。また、プレスロール３５が押圧位置から待機位置に戻され、待機モードに入る。
新たな製版を開始する等によって排版モードが選択されると、ドラム２６の原紙クランプ部２７がクランプ解除位置に変位され、クランプ解除された孔版原紙１８の先端側がドラム２６の回転に伴って排版搬送手段４７で導びかれ排版ボックス４８に収納される。
【００２９】
以上、この孔版印刷装置では、印刷モードが終了すると、ドラム２６に供給されたインキは、インキ回収手段７０で回収され、または、回収しなくてもベース壁５４と孔版原紙１８の間の略密閉空間に保持され、いずれにしても大気との接触が最低限に抑えられる。これにより、印刷を長時間行わなくてもインキが変質することがない。さらに、ドラム５３の内部には、従来例のように、インキ供給のための各種ロールを配置する必要がないため、ドラム５３を小型・軽量化することができる。
また、ドラム２６のベース壁５４は、インキ不透過性部材（インキ不通過性部材）で形成すれば良いので、材料選択のバリエーションが広がると共に、シンプルな構造で良いため、低コストで製造することができる。さらに、ドラム２６の強度アップが容易にできるため、印刷圧の変動等による画像ムラを確実に防止することができる。
【００３０】
さらに、インキ５６は、基本的に大気との接触が最低限に抑えられるため、ほとんど劣化しない最良の状態で印刷に供される。インキの劣化防止管理やインキの垂れ落ち防止管理が必要ないため、インキの選択自由度が広がる。
【００３１】
この第１実施形態では、インキ供給手段６０は、最大印刷エリアの最上流側よりインキを供給し、インキ回収手段７０は、最大印刷エリアの最下流側よりインキを回収したので、プレスロール３５の移動方向がインキ通過路５６内のインキの流通方向と同じになるため、インキがインキ通過路５６内を滞留することなくスムーズに循環する。
この第１実施形態では、インキ通過路５６内には、多孔質シート部材５５を支持する多数の線状リブ５９が立設されているので、多数の線状リブ５９によって多孔質シート部材５５が支持されるため、多孔質シート部材５５を高い剛性とすることなくほぼ均一な印刷圧を発生させることができる。
【００３２】
この第１実施形態では、原紙クランプ部２７がドラム２６の外周壁５３の表面より突出しないので、プレスロール３５の駆動が容易である。つまり、印刷モード時に、プレスロール３５が原紙クランプ部２７に衝突するのを回避するために、ドラム２６の回転毎にプレスロール３５を押圧位置と待機位置との間で変位させる必要がない。これによって、プレスロール３５による騒音やリバウンドによる画質劣化等の不具合が解消される。
【００３３】
また、前記第１実施形態にあって、インキ供給手段６０のインキ供給力とインキ回収手段７０のインキ回収力との自由に調整可能に設定すると、その双方のレベルによりインキ通過路５６内のインキ圧を可変することができるため、印刷濃度を調整することができる。例えば、インキ供給手段６０のインキ供給力をインキ回収手段７０のインキ回収力より大きく設定すればするほどインキ通過路５６内のインキ圧が大きくなり、印刷濃度を上げることができる。
【００３４】
図６は孔版印刷装置の第２実施形態を示し、多孔質シート部材を取り外したドラムの斜視図である。
図６に示すように、この第２実施形態のベース壁５４の凹部５８内には、多数の点状リブ８０が所定の間隔を置いて立設されており、この多数の点状リブ８０及び支持縁部５７によって多孔質シート部材８８が支持されている。尚、他の構成は前記第１実施形態のものと同一であるため、同一構成部分には同一符号を付して詳細な説明は省略する。
【００３５】
この第２実施形態にあっても、前記第１実施形態と同様に印刷を長時間行わなくてもインキが変質せず、かつ、ドラム２６を小型・軽量化することができる。
また、この第２実施形態では、多数の線状リブ８０によって多孔質シート部材５５が支持されるため、多孔質シート部材５５を高い剛性とすることなくほぼ均一な印刷圧を発生させることができる。
【００３６】
図７は孔版印刷装置の第３実施形態を示し、多孔質シート部材を取り外したドラムの斜視図である。
図７に示すように、この第３実施形態のベース壁５４の凹部５８内には、多孔質シート部材５５を支持するリブ状のものが一切形成されておらず、多孔質シート部材５５は支持縁部５７でのみベース壁５４に支持されている。尚、他の構成は前記第１実施形態のものと同一であるため、同一構成部分には同一符号を付して詳細な説明は省略する。
【００３７】
この第３実施形態にあっても、前記第１実施形態と同様に印刷を長時間行わなくてもインキが変質せず、かつ、ドラム２６を小型・軽量化することができる。
また、この第３実施形態では、多孔質シート部材５５は、その周縁のみベース壁５４に支持されているので、プレスロール３５の押圧力を受ける程度の高い剛性が多孔質シート部材５５に要求されるが、どの位置でも非常に均一な印刷圧を発生させることができる。
【００３８】
本発明に係る孔版印刷方法は、上記の孔版印刷装置を用いて行われ、孔版原紙をドラムに装着する工程と、孔版原紙を製版する工程と、孔版原紙の穿孔部から水性インキを通過させて印刷媒体に前記水性インキを転写する工程と、を含むものである。各工程の詳細は、上記孔版印刷装置に関する説明で述べたとおりである。
【００３９】
次に、本発明に係る孔版印刷方法に用いられる水性インキ（以下、単に「インキ」と記す。）および本発明に係るインキについて説明する。
このインキには、通常、水と着色剤と水溶性有機溶剤とが含まれている。
水は、印刷物の乾燥性を高める観点から、インキ中に５０重量％以上含まれていることが好ましく、６５重量％以上含まれていることがより好ましい。一方、水の配合量の上限は、特に限定はなく、他の配合成分とのバランスから適宜設定すればよく、たとえば８０重量％以下程度であることが好ましい。
上記孔版印刷装置では、印刷機内部のインキは密閉されていて水分が大気中へ蒸発することが防止されるので、高含水の水性インキの使用にも適している。
【００４０】
インキの着色剤としては、顔料または染料を用いることができ、２種以上を併用してもよい。顔料としては、たとえば、アゾ系、フタロシアニン系、染料系、縮合多環系、ニトロ系、ニトロソ系等の有機顔料（ブリリアントカーミン６Ｂ、レーキレッドＣ、ウォッチングレッド、ジスアゾイエロー、ハンザイエロー、フタロシアニンブルー、フタロシアニングリーン、アルカリブルー、アニリンブラック等）；コバルト、鉄、クロム、銅、亜鉛、鉛、チタン、バナジウム、マンガン、ニッケル等の金属類、金属酸化物および硫化物、ならびに黄土、群青、紺青等の無機顔料、ファーネスカーボンブラック、ランプブラック、アセチレンブラック、チャンネルブラック等のカーボンブラック類を用いることができる。染料としては、たとえば、塩基性染料、酸性染料、直接染料、可溶性バット染料、酸性媒染染料、媒染染料、反応染料、バット染料、硫化染料等のうち水溶性の染料および還元等により水溶性になった水溶性染料を用いることができる。顔料、染料のいずれかもしくは両方を着色剤として用いてもよいが、顔料を用いることにより画像の滲みや裏抜けが少なく、耐候性にも優れたインキとすることができるため好ましい。
【００４１】
インキ中の着色剤の含有量は、通常１〜２０重量％であり、３〜１５重量％であることが好ましい。印刷物の印刷濃度をより高めるために、５重量％以上含有させることがさらに好ましい。
【００４２】
インキには、印刷中の孔版原紙の穿孔部における乾燥を防止する等の観点から、水溶性有機溶剤を配合することが好ましい。
水溶性有機溶剤としては、室温で液体であり、水に溶解可能な有機化合物が用いられる。たとえば、メタノール、エタノール、１−プロパノール、イソプロパノール、１−ブタノール、２−ブタノール、イソブタノール、２−メチル−２−プロパノール等の低級アルコール類；エチレングリコール、ジエチレングリコール、トリエチレングリコール、テトラエチレングリコール、ペンタエチレングリコール、プロピレングリコール、ジプロピレングリコール、トリプロピレングリコール等のグリコール類；グリセリン；アセチン類（モノアセチン、ジアセチン、トリアセチン）；トリエチレングリコールモノメチルエーテル、トリエチレングリコールモノエチルエーテル、トリエチレングリコールモノプロピルエーテル、トリエチレングリコールモノブチルエーテル、テトラエチレングリコールモノメチルエーテル、テトラエチレングリコールモノエチルエーテル、テトラエチレングリコールジメチルエーテル、テトラエチレングリコールジエチルエーテル等のグリコール類の誘導体；トリエタノールアミン、１−メチル−２−ピロリドン、β−チオジグリコール、スルホランを用いることができる。平均分子量２００、３００、４００、６００等の平均分子量が１９０〜６３０の範囲にあるポリエチレングリコール、平均分子量４００等の平均分子量が２００〜６００の範囲にあるジオール型ポリプロピレングリコール、平均分子量３００、７００等の平均分子量が２５０〜８００の範囲にあるトリオール型ポリプロピレングリコール、等の低分子量ポリアルキレングリコールを用いることもできる。これらの水溶性有機溶剤は単独で、または２種以上を組み合わせて使用することができる。
【００４３】
水溶性有機溶剤のインキ中の含有量は、２種以上が用いられる場合はその合計含有量として、５重量％以上であることが好ましく、１０重量％以上であることがより好ましい。その含有量の上限に関しては、特に限定はされないが、画像の裏抜けを少なくするため、４５重量％以下程度であることが好ましく、３５重量％以下程度であることがより好ましい。水よりも高沸点の、より好ましくは沸点が１５０℃以上の水溶性有機溶剤をインキ中に５重量％以上含有させることにより、印刷中の孔版原紙穿孔部の乾燥を有効に防止でき好ましい。
【００４４】
上記孔版印刷装置では、従来のように、印刷機からのインキ漏れを防止する等の印刷機とのマッチング性のためにインキの粘度をある程度高く設定する必要がない。
そこで、インキの粘度は、従来のインキに比べて低粘度であることが好ましく、具体的には、２３℃において１Ｐａ／ｓの速度で剪断応力を０Ｐａから増加させたときの１０Ｐａにおけるインキ粘度が５００ｍＰａ・ｓ以下であることが好ましく、３００ｍＰａ・ｓ以下であることがより好ましく、１００ｍＰａ・ｓ以下であることが特に好ましい。一方、同様に測定したインキ粘度は、１．５ｍＰａ・ｓ以上であることが好ましく、３．０ｍＰａ・ｓ以上であることがより好ましく、５．０ｍＰａ・ｓ以上であることが一層好ましい。
【００４５】
仮にインキの粘度が高い場合は、プレスロールによる押圧力を高く設定する必要が生じ、これが高すぎるとインキ転移量が多くなったり孔版原紙の伸びによる画像伸縮が発生したりする恐れがあるが、このようにインキの粘度を低くすることにより、こうした問題が発生することもなく、上記孔版印刷装置におけるインキの供給が最適なものとなり、印刷面端部における画像欠けがなく、かつ、印刷媒体へのインキの浸透速度を向上させることができ、容易に印刷物の乾燥性を高めることができる。
【００４６】
インキは曳糸性を有するものであることが好ましく、具体的には、２３℃においてインキから直径１５ｍｍのクロム鋼球を１５０ｍｍ／ｓで引き上げたときのインキ曳糸長が３０ｍｍ以上であることが好ましく、４０ｍｍ以上であることがより好ましく、５０ｍｍ以上であることが一層好ましい。このような曳糸長の大きいインキでは、インキの粘度の高低にかかわらず、すなわち上記のような低粘度のインキであっても、その印刷用紙への転移量が抑制される。その結果、印刷物の乾燥性が良好であるとともに、細字や細線がにじむことなく鮮鋭な、良質な画像を得ることができる。さらに、ベタ部分の画像もムラなく印刷することができる。
【００４７】
曳糸長の測定は、具体的には、図８に示したような測定機器を用いて行うことができる。この測定機器は、インキの入った容器２０１、直径１５ｍｍのクロム鋼球２０２、ステッピングモータ２０３、ベルト２０４を備えている。クロム鋼球２０２は、ステッピングモータ２０３により回転するベルト２０４に固定されており、一定速度で上下するようになっている。測定環境を２３℃とし、容器２０１内のインキにクロム鋼球２０２全体を、その球の上部がちょうどインキ液面のラインと一致するように浸漬し、毎秒１５０ｍｍの速度で垂直に引き上げたときの様子を、測定機器の正面に設置された撮影機（図示せず）を用いて撮影・録画し、インキ液面と鋼球との間に形成されたインキ曳糸がちぎれる直前のインキ曳糸の最大長（インキ液面と鋼球下部との距離）を、録画した画像から読みとるようにする。
【００４８】
この曳糸長の上限については特に限定はされないが、５００ｍｍ以下であることが好ましく、２５０ｍｍ以下であることがより好ましく、２００ｍｍ以下であることが一層好ましい。曳糸長が５００ｍｍを越えると、インキ転移量が抑制されすぎて、細字・細線などが一部欠損する恐れがあり、また、２５０ｍｍを超えると、画像にベタ部分がある場合にベタ部分にムラが発生する恐れがある。この理由も定かではないが、孔版原紙と印刷用紙とが剥離したときに、孔版原紙の穿孔部から印刷用紙に転移したインキと転移していないインキとが互いに引き合ってしまい、形成される画像にムラが発生してしまうものと考えられる。
【００４９】
インキは、曳糸性付与剤として、インキに適度な曳糸性を付与することができる曳糸性賦与剤を含むことが好ましい。なかでも、インキの曳糸性を適切に制御可能であることから、なかでも、インキの曳糸性を適切に制御可能であることから、下記一般式（１）で表される繰り返し単位を含む、分岐架橋していない直鎖構造型の不飽和カルボン酸系水溶性高分子が好ましく用いられる。
【化１】
2005271270.tif 000003
（式中、Ｒ１，Ｒ２，Ｒ３はそれぞれ独立にＨ、ＣＨ３、（ＣＨ２）ｎＣＯＯＨ（ｎは０または１の整数）を表す。）
【００５０】
ここで、２以上のカルボキシル基を含む場合に、それらが酸無水物を形成していてもよい。共重合体となっている場合の共重合形式は、ランダム型、交互型、ブロック型、グラフト型等のいずれの形態であってもよい。
この不飽和カルボン酸系水溶性高分子としては、たとえば、アクリル酸またはメタクリル酸（以下、両者をまとめて「（メタ）アクリル酸」と記す。）、無水マレイン酸、マレイン酸、フマル酸、クロトン酸およびイタコン酸からなる群から選ばれる１種以上の不飽和カルボン酸を主鎖に含む水溶性高分子が挙げられ、それらの塩も含まれる。この不飽和カルボン酸系水溶性高分子は、水に溶解させると数多くの陰電荷をもつ超多価イオン高分子となり、この強いイオン雰囲気により曳糸性付与効果が生じると考えられる。
【００５１】
さらに具体的には、ポリ（メタ）アクリル酸、アクリル酸−メタクリル酸共重合体、（メタ）アクリル酸−マレイン酸共重合体、（メタ）アクリル酸−スルホン酸系モノマー共重合体、（メタ）アクリル酸−イタコン酸共重合体、（メタ）アクリル酸エステル−マレイン酸共重合体、（メタ）アクリル酸−（メタ）アクリルアミド共重合体、（メタ）アクリル酸−（メタ）アクリル酸エステル共重合体、（メタ）アクリル酸−ビニルピロリドン共重合体、ポリマレイン酸、ポリフマル酸、ポリクロトン酸、ポリイタコン酸、無水マレイン酸−アルキルビニルエーテル共重合体、および、それらの塩等が挙げられる。
塩としては、一価金属塩、アミン塩が好ましく、たとえばポリ（メタ）アクリル酸であれば、それらの塩として、ポリ（メタ）アクリル酸ナトリウム、ポリ（メタ）アクリル酸カリウム、ポリ（メタ）アクリル酸アンモニウム、ポリ（メタ）アクリル酸トリエタノールアミン等が挙げられる。他にも、好ましい例として、ポリイタコン酸ナトリウム、ポリマレイン酸ナトリウム、アクリル酸−メタクリル酸共重合体ナトリウム、アクリル酸−マレイン酸共重合体ナトリウム、アクリル酸−アクリルアミド共重合体ナトリウム等が挙げられる。
【００５２】
これらの不飽和カルボン酸系水溶性高分子が未中和タイプである場合は、通常、インキ中には、これらの水溶性高分子とともに、水酸化ナトリウム、水酸化カリウム、アンモニア水、トリエタノールアミン、ジイソプロパノールアミン等のアルカリ性中和剤が添加される。不飽和カルボン酸系水溶性高分子の中和塩が用いられる場合は、これらのアルカリ性中和剤を添加する必要はない。
【００５３】
不飽和カルボン酸系水溶性高分子が直鎖構造型であれば、同一分子構造の化合物のなかで比較した場合、その重量平均分子量が大きいほどインキ曳糸長を大きくすることが可能であり、インキ中の含有量が少ないほどインキ粘度を低くすることが可能である。
上記不飽和カルボン酸系水溶性高分子のなかでも、インキの粘度を高くすることなく曳糸長を大きくすることが可能なことから、不飽和カルボン酸モノマー（アクリル酸、メタクリル酸、クロトン酸、イタコン酸、マレイン酸、無水マレイン酸、フマル酸）のみから構成された重合体（単独重合体もしくは共重合体）およびこれらの重合体の塩が好ましく用いられ、ポリアクリル酸およびその塩が特に好ましく用いられる。
【００５４】
ポリアクリル酸およびその塩を含め不飽和カルボン酸系水溶性高分子は、重量平均分子量が１万以上のものが好ましく、１０万以上のものがより好ましく、６０万以上のものがさらに好ましく、１２０万以上であるものが特に好ましく用いられる。分子量が１万未満であると、インキの曳糸長を大きくするためには不飽和カルボン酸系水溶性高分子を多く含有させる必要があり、その結果インキを低粘度にすることが困難になる。また、分子量は１０００万以下のものが好ましく、６００万以下のものがより好ましい。分子量が１０００万を超えると、少量の含有量でインキの曳糸長を大きくすることが可能である反面、大きすぎない曳糸長を得るためには含有量を微量にする必要があり、安定したインキ物性を得ることが困難になる。
【００５５】
不飽和カルボン酸系水溶性高分子の含有量は、その種類によって異なるが、通常は０．０１〜５重量％であり、０．０５〜３重量％であることが好ましく、０．１〜１重量％であることがより好ましく、０．１〜０．５重量％であることが一層好ましい。なお、他のインキ成分の影響でインキ曳糸長が増減することがあるので、曳糸性付与剤の種類や含有量は、他のインキ成分の影響を考慮して適宜調整することが好ましい。
【００５６】
インキにはさらに、インキの粘度調整剤として、任意の増粘剤を配合することができ、たとえば、上記不飽和カルボン酸系水溶性高分子以外の水溶性高分子系増粘剤、直鎖構造型ではない不飽和カルボン酸系増粘剤、粘土鉱物系増粘剤の１種以上をインキに配合することができる。
水溶性高分子系増粘剤としては、天然高分子、半合成高分子、合成高分子を用いることができる。天然高分子としては、たとえば、アラビアガム、カラギーナン、グアガム、ローカストビーンガム、ペクチン、トラガントガム、コーンスターチ、コンニャクマンナン、寒天等の植物系天然高分子；プルラン、キサンタンガム、デキストリン等の微生物系天然高分子；ゼラチン、カゼイン、にかわ等の動物系天然高分子、を用いることができる。半合成高分子としては、たとえば、エチルセルロース、カルボキシメチルセルロース、ヒドロキシエチルセルロース、ヒドロキシプロピルセルロース、メチルセルロース、ヒドロキシプロピルメチルセルロース等のセルロース系半合成高分子；ヒドロキシエチルスターチ、カルボキシメチルスターチナトリウム、シクロデキストリン等のデンプン系半合成高分子；アルギン酸ナトリウム、アルギン酸プロピレングリコール等のアルギン酸系半合成高分子；ヒアルロン酸ナトリウム、を用いることができる。合成高分子としては、たとえば、ポリビニルピロリドン、ポリビニルアルコール、ポリビニルメチルエーテル、ポリＮ−ビニルアセトアミド、ポリアクリルアミド等のビニル系合成高分子；ポリエチレンオキサイド、ポリエチレンイミン、ポリウレタンを用いることができる。
【００５７】
直鎖構造型ではない不飽和カルボン酸系増粘剤としては、上記例示の不飽和カルボン酸系水溶性高分子のうち、架橋剤により分岐架橋構造をとるなどして非直鎖構造型になっているものが挙げられる。
粘土鉱物系の増粘剤としては、たとえば、モンモリロナイト、ヘクトライト、サポナイト等のスメクタイト系粘土鉱物を用いることができる。
なお、増粘剤として例示した上記水溶性高分子は、その種類と量によっては、インキの増粘剤以外にも、印刷用紙への着色剤の定着剤等として用いることができる。また、着色剤として顔料を用いる場合においては、顔料の分散剤として用いることもできる。
【００５８】
インキには、上記の成分に加え、任意に、顔料分散剤、定着剤、消泡剤、表面張力低下剤、ｐＨ調整剤、酸化防止剤、防腐剤等を適宜含有させることができる。
インキ中にアルカリ可溶性樹脂を含有させて、印刷用紙等の被印刷体への着色剤の定着剤等として用いることができる。着色剤として顔料を用いる場合は、顔料の分散剤としてアルカリ可溶性樹脂を用いることもできる。アルカリ可溶性樹脂とは、水には不溶性であるが、アルカリの存在下では水可溶性になる高分子のことを意味する。したがって、たとえばアクリル酸-アクリル酸エステル共重合体のように、化合物名が同じであっても、本発明においては、その溶解性により水溶性高分子またはアルカリ可溶性樹脂に分類される。
【００５９】
アルカリ可溶性樹脂としては、たとえば、スチレン−（メタ）アクリル酸共重合体、スチレン−αメチルスチレン−（メタ）アクリル酸共重合体、スチレン−（メタ）アクリル酸エステル−（メタ）アクリル酸共重合体、スチレン−無水マレイン酸共重合体、ビニルナフタレン−（メタ）アクリル酸共重合体、ビニルナフタレン−マレイン酸共重合体、イソブチレン−無水マレイン酸共重合体、（メタ）アクリル酸エステル−（メタ）アクリル酸共重合体、アクリル酸エステル−メタクリル酸エステル−（メタ）アクリル酸共重合体を用いることができる。これらは単独で、または２種以上を組み合わせて使用できる。これらのアルカリ可溶性樹脂は、水酸化ナトリウム、水酸化カリウム等のアルカリ金属水酸化物、アンモニア水、トリエタノールアミン等のアルカノールアミン等の任意のアルカリで中和して、水可溶性にして用いることができる。
アルカリ可溶性樹脂は、多量に含有させると印刷機の非使用後の印刷性能に支障をきたす恐れがあるため、インキ中に固形分換算で５重量％以下の範囲で含有させることが好ましく、より好ましくは３重量％以下である。
【００６０】
インキに水中油（Ｏ／Ｗ）型樹脂エマルションを含有させて、印刷用紙等の印刷媒体への着色剤の定着剤等として用いることができる。着色剤として顔料を用いる場合においては、この樹脂エマルションを顔料の分散剤として用いることもできる。
水中油（Ｏ／Ｗ）型樹脂エマルションとしては、たとえば、ポリ酢酸ビニル、エチレン−酢酸ビニル共重合体、酢酸ビニル−アクリル酸エステル共重合体、ポリアクリル酸エステル、ポリメタクリル酸エステル、ポリスチレン、スチレン−アクリル酸エステル共重合体、スチレン−ブタジエン共重合体、塩化ビニリデン−アクリル酸エステル共重合体、ポリ塩化ビニル、塩化ビニル−酢酸ビニル共重合体、ポリウレタン等の樹脂エマルションを用いることができる。これらの２種以上を併用してもよい。
樹脂エマルションは、多量に含有させると印刷機の非使用後の印刷性能に支障をきたす恐れがあるため、インキ中に固形分換算で５重量％以下の範囲で含有させることが好ましく、より好ましくは２重量％以下である。
【００６１】
印刷物の画質を向上させるために、インキ中に体質顔料を含有させることができる。
体質顔料としては、たとえば、白土、タルク、クレー、珪藻土、炭酸カルシウム、炭酸バリウム、硫酸バリウム、アルミナホワイト、シリカ、カオリン、マイカ、水酸化アルミニウムを用いることができ、これらの２種以上を併用してもよい。
体質顔料は、多量に含有させると印刷媒体への着色剤の定着を阻害したり、印刷機の非使用後の印刷性能に支障をきたす恐れがあるため、５重量％以下の範囲で含有させることが好ましく、より好ましくは２重量％以下である。
【００６２】
さらに、顔料分散剤、消泡剤、表面張力低下剤等として、アニオン界面活性剤、カチオン界面活性剤、両性界面活性剤、非イオン界面活性剤、または高分子系、シリコーン系、フッ素系の界面活性剤をインキに含有させることができる。
インキの粘度やｐＨを調整するために、インキに電解質を配合することもできる。電解質としては、たとえば、硫酸ナトリウム、リン酸水素カリウム、クエン酸ナトリウム、酒石酸カリウム、ホウ酸ナトリウムが挙げられ、２種以上を併用してもよい。硫酸、硝酸、酢酸、水酸化ナトリウム、水酸化カリウム、水酸化アンモニウム、トリエタノールアミン等も、インキの増粘助剤やｐＨ調整剤として用いることができる。
【００６３】
酸化防止剤を配合することにより、インキ成分の酸化を防止し、インキの保存安定性を向上させることができる。酸化防止剤としては、たとえば、Ｌ−アスコルビン酸、Ｌ−アスコルビン酸ナトリウム、イソアスコルビン酸ナトリウム、亜硫酸カリウム、亜硫酸ナトリウム、チオ硫酸ナトリウム、亜二チオン酸ナトリウム、ピロ亜硫酸ナトリウムを用いることができる。
【００６４】
防腐剤を配合することにより、インキの腐敗を防止して保存安定性を向上させることができる。防腐剤としては、たとえば、５−クロロ−２−メチル−４−イソチアゾリン−３−オン、２−メチル−４−イソチアゾリン−３−オン、２−ｎ−オクチル−４−イソチアゾリン−３−オン、１，２−ベンゾイソチアゾリン−３−オン等のイソチアゾロン系防腐剤；ヘキサヒドロ−１，３，５−トリス（２−ヒドロキシエチル）−ｓ−トリアジン等のトリアジン系防腐剤；２−ピリジンチオールナトリウム−１−オキシド、８−オキシキノリン等のピリジン・キノリン系防腐剤；ジメチルジチオカルバミン酸ナトリウム等のジチオカルバメート系防腐剤；２，２−ジブロモ−３−ニトリロプロピオンアミド、２−ブロモ−２−ニトロ−１，３−プロパンジオール、２，２−ジブロモ−２−ニトロエタノール、１，２−ジブロモ−２，４−ジシアノブタン等の有機臭素系防腐剤；ｐ−ヒドロキシ安息香酸メチル、ｐ−ヒドロキシ安息香酸エチル、ソルビン酸カリウム、デヒドロ酢酸ナトリウム、サリチル酸を用いることができる。
【００６５】
インキは、水と水溶性有機溶剤と着色剤と、必要に応じて適宜配合される上記の成分とを混合させて製造することができ、その詳細は特に限定されることはない。たとえば、一部の水と顔料と顔料分散剤とを混合し、ボールミル、ビーズミル等の分散手段を用いて顔料を分散させ、一方で、残りの水と直鎖構造型不飽和カルボン酸系水溶性高分子と水溶性有機溶剤とを混合し、そして、両者を混ぜ合わせるようにしてもよい。
【実施例】
【００６６】
以下に、本発明を実施例により詳しく説明するが、本発明はこれらに限定されるものではない。以下、「重量％」を単に「％」と記す。
【００６７】
（実施例１）
着色剤としてカーボンブラック（三菱化学株式会社製「＃４０」）５．０％、顔料分散剤としてポリビニルピロリドン（第一工業製薬株式会社製「Ｋ１７」）１．０％、および蒸留水１４．０％を混合し、ビーズミルで充分に分散させて顔料分散液２０．０％を調製した。別に、蒸留水１９．９％を撹拌させながら、ここに直鎖構造型ポリアクリル酸ナトリウム（１）（日本純薬株式会社製「アロンビスＳ」：分子量４００万〜５００万）０．１％をゆっくりと添加して溶解させた。得られた直鎖構造型ポリアクリル酸ナトリウム水溶液２０．０％、顔料分散液２０．０％、水溶性有機溶剤としてポリエチレングリコール（和光純薬株式会社製「ポリエチレングリコール＃２００」）１５．０％、および蒸留水の残部（４５．０％）を混合して、実施例１のインキを得た。
【００６８】
（実施例２〜９）
表１に示す配合とした以外は実施例１と同様にして、各実施例のインキを得た。各表中の配合成分の詳細は、以下のとおりである。
・直接染料：ダイワ化成株式会社製「Ｄａｉｗａ  ＩＪ  Ｂｌｕｅ３１９Ｈ」
・直鎖構造型ポリアクリル酸ナトリウム（２）：日本純薬株式会社製「アロンビスＭ」（分子量２００万〜３００万）
・直鎖構造型ポリアクリル酸：日本純薬株式会社製「ジュリマーＡＣ−１０Ｈ」（分子量約１５万、２０％水溶液；ただし表１中の配合量は固形分換算値）
・直鎖構造型アクリル酸−メタクリル酸共重合体：日本純薬株式会社製「ジュリマーＡＣ−２０Ｈ」（分子量約５万〜８万、２０％水溶液；ただし表１中の配合量は固形分換算値）
・カルボキシメチルセルロースナトリウム：関東化学株式会社製
【００６９】
上記実施例で作製したインキを用いて、上記図１〜７に示した孔版印刷装置（理想科学工業株式会社製試作品）にて印刷用紙（理想科学工業株式会社製「理想用紙薄口」）に印刷を行い、得られた印刷物の画像性（細字の鮮鋭性、ベタの均一性）および乾燥性、印刷面端部の印刷性を評価した。画像性の評価は目視で行い、細字（６ポイント）の判読が充分に可能であったものをＡ、判読が困難だったものをＢ、判読が不可能だったものをＣで細字の鮮鋭性として表した。ベタの均一性は、ベタが均一だったものをＡ、ほぼ均一だったものをＢ、均一感に欠けたものをＣで表した。印刷物の乾燥性は、画像に触れたときの指の汚れで評価し、印刷した３秒後に触れても指が汚れなかったものをＡ、５秒後であれば汚れなかったものをＢ、５秒後でも汚れたものをＣで表した。印刷面の端部の印刷性は、印刷用紙の左右の後端部の画像を印刷できたものをＡ、印刷はできたがややかすれていたものをＢ、印刷できなかったものをＣで表した。
【００７０】
インキの曳糸長は、図８にその概略を模式的に示したような測定器を用いて測定した。すなわち、２３℃の環境温度下で、容器２０１内にインキを満たし、この中にクロム鋼球２０２（直径１５ｍｍ）の全体を、その球の上部がちょうどインキ液面のラインと一致するように浸漬し、その後このクロム鋼球を毎秒１５０ｍｍの速度で垂直に引き上げたときの様子を、撮影機（ソニー株式会社製３ＣＣＤカラービデオカメラモジュールＸＣ−００３）（図示せず）を用いて正面から撮影し、インキ液面と鋼球との間に形成されたインキ曳糸がちぎれる直前のインキ曳糸の最大長（インキ液面と鋼球下部との距離）を、録画した画像から読みとった。図９は、実施例１において録画された画像の一部であり、同（ａ）はインキ液面と鋼球下部との距離が１００ｍｍのときの画像、同（ｂ）はインキ液面と鋼球下部との距離が１６５ｍｍでインキの曳糸が最大長となったときの画像をそれぞれ示す。
インキの粘度は、ハーケ社製応力制御式レオメータＲＳ７５（コーン角度１°、直径６０ｍｍ）を用いて測定した。
結果を表１に併せて示す。
【００７１】
【表１】
2005271270.tif 000004
【００７２】
上記表に示されているように、いずれも、細字の鮮鋭性、印刷物の乾燥性等の良好な印刷物を得ることができた。
【図面の簡単な説明】
【００７３】
【図１】好適な孔版印刷装置の第１実施形態を示し、孔版印刷装置の概略構成図である。
【図２】好適な孔版印刷装置の第１実施形態を示し、ドラムの斜視図である。
【図３】好適な孔版印刷装置の第１実施形態を示し、多孔質シート部材を取り外したドラムの斜視図である。
【図４】好適な孔版印刷装置の第１実施形態を示し、図２中Ａ−Ａ線に沿う断面図である。
【図５】好適な孔版印刷装置の第１実施形態を示し、図２中Ｂ−Ｂ線に沿う断面図である。
【図６】好適な孔版印刷装置の第２実施形態を示し、多孔質シート部材を取り外したドラムの斜視図である。
【図７】好適な孔版印刷装置の第３実施形態を示し、多孔質シート部材を取り外したドラムの斜視図である。
【図８】曳糸長の測定に用いられる機器を模式的に示した概略構成図である。
【図９】実際に観察されたインキの曳糸性を示す写真図である。
【符号の説明】
【００７４】
１８  孔版原紙
２６  ドラム
３５  プレスロール
３７  印刷用紙（印刷媒体）
５３  外周壁
５４  ベース壁
５５  多孔質シート部材
５６  インク通過路
５８  凹部
５９  線状リブ
６０  インク供給手段
７０  インク回収手段
８０  点状リブ
【図１】
2005271270.tif 000005
【図２】
2005271270.tif 000006
【図３】
2005271270.tif 000007
【図４】
2005271270.tif 000008
【図５】
2005271270.tif 000009
【図６】
2005271270.tif 000010
【図７】
2005271270.tif 000011
【図８】
2005271270.tif 000012
【図９】
2005271270.tif 000013